(57)【要約】【課題】収容ユニットに長期間収容されている記録媒体を特定し、システムを管理する者が手間を掛けずに取り出し得る受渡システムを構成する。【解決手段】オーダ管理装置Ｆにおいて、受渡装置Ｃのオーダ管理テーブル１２１に基づいて収容期間を超えて収容されている記録媒体を特定し、その記録媒体の識別情報と強制排出情報とが形成される取出票Ｔをプリントする。この取出票Ｔの識別情報により受渡装置Ｃから記録媒体Ｐの排出が可能となり、オーダ管理テーブル１２１に強制排出情報から強制的に排出されたことを示す情報を記録する。【選択図】図８
2010287050.tif 000002
【特許請求の範囲】
【請求項１】
記録媒体が収容される複数の収容空間を有する収容ユニットと、指定された識別情報に対応する記録媒体を前記収容空間から送り出す排出ユニットと、情報担持媒体から識別情報を取得する情報リーダを備えると共に、この情報リーダで取得した識別情報に対応する記録媒体が前記収容ユニットに収容されていることを判別すると、前記排出ユニットを制御して前記識別情報に対応する記録媒体を前記収容空間から排出する排出制御手段を備えている受渡システムであって、
前記記録媒体が前記収容空間に収容された日時情報と、その記録媒体を特定する特定情報とを記録するオーダ管理ユニットを備え、このオーダ管理ユニットの記録に基づき設定期間を超えて収容されている記録媒体の特定情報を抽出し、抽出した特定情報に対応する識別情報を前記情報担持媒体としての取出票に形成する期限管理手段を備えている受渡システム。
【請求項２】
前記期限管理手段が前記取出票に対して識別情報に対応するオーダの顧客名を文字情報でプリントする請求項１記載の受渡システム。
【請求項３】
前記期限管理手段が、前記取出票に対して前記識別情報と、強制排出を示す強制排出情報とを形成し、前記情報リーダで前記取出票の識別情報と強制排出情報とを取得した場合には、前記排出制御手段で前記排出ユニットを制御して対応する記録媒体を排出させると共に、前記オーダ管理ユニットが強制排出されたことを表す情報を識別情報と関連付けて記録する請求項１又は２記載の受渡システム。
【請求項４】
情報を表示するモニタを備えると共に、前記情報リーダが、前記情報担持媒体としての引換証から識別情報を取得し、取得した識別情報に対応する記録媒体が強制排出されていることを前記オーダ管理ユニットが判別した場合には、その識別情報に対応する記録媒体が既に排出されていることを示す情報を前記モニタに出力する情報出力手段を備えている請求項３記載の受渡システム。
【発明の詳細な説明】
【技術分野】
【０００１】
本発明は、記録媒体が収容される複数の収容空間を有する収容ユニットと、指定された識別情報に対応する記録媒体を前記収容空間から送り出す排出ユニットと、情報担持媒体から識別情報を取得する情報リーダを備えると共に、この情報リーダで取得した識別情報に対応する記録媒体が前記収容ユニットに収容されていることを判別すると、前記排出ユニットを制御して前記識別情報に対応する記録媒体を前記収容空間から排出する排出制御手段を備えている受渡システムに関する。
【背景技術】
【０００２】
上記のように構成された受渡システムに関連するものとして特許文献１には、収容部の複数のラックに対して記録媒体を収めたＤＰ袋を収容しておき、固定リーダによって顧客を特定する特定情報を取得した場合には、対応するＤＰ袋を収容部から筐体外部に押し出す構成が記載されている。
【０００３】
この特許文献１では、オーダを受ける際にバーコードで成る特定情報をプリントして引換証を顧客に手渡しておく。オーダの画像データは記録媒体にプリントされＤＰ袋に収納され、このＤＰ袋にはオーダと関連付けられたバーコード情報が付されている。このＤＰ袋を収容部に収容する場合にはバーコード情報とラックの位置とを関連付けて記憶しておく。装置の前面には固定リーダが備えられ、顧客の引換証のバーコードを固定リーダで読み取った場合には、対応するオーダのＤＰ袋が収容されたラックの位置が特定され、そのＤＰ袋が装置前面から送り出される。これにより、オーダの画像データをプリントしたプリント媒体を顧客に受け渡す場合にも、オペレータが立ち会わずに済むのである。
【先行技術文献】
【特許文献】
【０００４】
【特許文献１】特開２００８‐２１０００２号公報
【発明の概要】
【発明が解決しようとする課題】
【０００５】
特許文献１に記載されるもでは、前述したようにもののように、オーダの画像データをプリントしたプリント媒体を顧客に受け渡す場合にも、オペレータが立ち会わずに済むと云う良好な面を有する。
【０００６】
しかしながら、顧客の都合によりプリントの受け付けから受け取りまでに長期間が経過するオーダも存在する。このように記録媒体が収容ユニットに長期間収容された場合には、収容ユニットにおいて収容可能な収容空間の数が低下し、この後に受け付けたオーダの記録媒体の収容が不能に陥ることもあった。
【０００７】
このような不都合を解消するためには、定期的なチェックを行い、長期間収容されている記録媒体を取り出して、人為的に管理する棚等に収容することも必要となるが、長期間収容されている記録媒体の特定と、取り出しとに手間が掛かるものとなり改善の余地がある。
【０００８】
これに対して、特許文献１には、オーダが生成された生成日時情報を付して、オーダ情報をオーダ情報テーブルに保存し、オーダのＤＰ袋が排出された場合には、排出された日時情報をオーダ情報テーブルに保存する制御を行う点が記載されている。このオーダ情報テーブルの情報をチェックすることにより、長期間保存されているオーダのＤＰ袋を特定することも考えられるが、特定したオーダを取り出す処理は考慮されておらず、取り出しには手間が掛かるものであった。
【０００９】
本発明の目的は、収容ユニットに長期間収容されている記録媒体を特定し、システムを管理する者が手間を掛けずに取り出し得る受渡システムを合理的に構成する点にある。
【課題を解決するための手段】
【００１０】
本発明の特徴は、記録媒体が収容される複数の収容空間を有する収容ユニットと、指定された識別情報に対応する記録媒体を前記収容空間から送り出す排出ユニットと、情報担持媒体から識別情報を取得する情報リーダを備えると共に、この情報リーダで取得した識別情報に対応する記録媒体が前記収容ユニットに収容されていることを判別すると、前記排出ユニットを制御して前記識別情報に対応する記録媒体を前記収容空間から排出する排出制御手段を備えている受渡システムであって、
前記記録媒体が前記収容空間に収容された日時情報と、その記録媒体を特定する特定情報とを記録するオーダ管理ユニットを備え、このオーダ管理ユニットの記録に基づき設定期間を超えて収容されている記録媒体の特定情報を抽出し、抽出した特定情報に対応する識別情報を前記情報担持媒体としての取出票に形成する期限管理手段を備えている点にある。
【００１１】
この構成によると、設定期間を超えて収容空間に収容されている記録媒体の特定情報が期限管理手段によって抽出され、抽出された特定情報に対応する識別情報が取出票に形成されることになる。このように取出票が形成された後には、システムを管理する者が取出票の識別情報を情報リーダに読み取らせることにより、長期間収容されていた記録媒体を取り出すことが可能となる。
従って、収容ユニットに長期間収容されている記録媒体を特定し、システムを管理する者が手間を掛けずに取り出し得る受渡システムが構成された。
【００１２】
本発明は、前記期限管理手段が前記取出票に対して識別情報に対応するオーダの顧客名を文字情報でプリントしても良い。
これによると、取出票によって取り出された記録媒体をオーダした顧客名を取出票にプリントされた文字情報で特定することが可能となる。また、取り出された記録媒体はＤＰ袋等に収容されるため、そのＤＰ袋等に取出票を貼り付ける等の処理により添付することで、顧客を識別可能な状態で記録媒体を管理できる。
【００１３】
本発明は、前記期限管理手段が、前記取出票に対して前記識別情報と、強制排出を示す強制排出情報とを形成し、前記情報リーダで前記取出票の識別情報と強制排出情報とを取得した場合には、前記排出制御手段で前記排出ユニットを制御して対応する記録媒体を排出させると共に、前記オーダ管理ユニットが強制排出されたことを表す情報を識別情報と関連付けて記録しても良い。
これによると、取出票に形成された識別情報に基づいて長期間収容されていた記録媒体の取り出しを行え、この取出票に形成された強制排出情報によって、長期間収容されていた記録媒体が強制排出されたことがオーダ管理ユニットによって記録されることになり、その記録媒体が顧客に受け渡されていないことの識別が可能となる。
【００１４】
本発明は、情報を表示するモニタを備えると共に、前記情報リーダが、前記情報担持媒体としての引換証から識別情報を取得し、取得した識別情報に対応する記録媒体が強制排出されていることを前記オーダ管理ユニットが判別した場合には、その識別情報に対応する記録媒体が既に排出されていることを示す情報を前記モニタに出力する情報出力手段を備えても良い。
これによると、収容システムから強制排出されている記録媒体に対応する引換証を顧客が提示して、その識別情報を情報リーダで取得した場合には、顧客がオーダした記録媒体が既に排出されていることを示す情報を情報出力手段がモニタに出力することになる。これにより顧客は、記録媒体が排出されない理由を理解でき、このシステムを管理するオペレータ等に対して記録媒体の受け渡しを求めることも可能となる。
【図面の簡単な説明】
【００１５】
【図１】受渡システムの全体を示す斜視図である。
【図２】受付装置の斜視図である。
【図３】受渡装置の斜視図である。
【図４】受渡装置の縦断側面図である。
【図５】受渡装置の縦断正面図である。
【図６】挿入ユニットの構造を示す斜視図である。
【図７】収容有ニットと排出ユニット等を示す斜視図である。
【図８】受付システムの制御構成を示すブロック回路図である。
【図９】オーダ管理装置のブロック回路図である。
【図１０】システムの処理手順を示すフローチャートである。
【図１１】オーダ管理処理のフローチャートである。
【発明を実施するための形態】
【００１６】
以下、本発明の実施の形態を図面に基づいて説明する。
〔全体構成〕
図１に示すように、顧客からオーダを受け付ける受付装置Ａと、銀塩式の印画紙で成る記録媒体Ｐに画像データをプリントする銀塩プリンタＢとを備えると共に、受付装置Ａからの情報に基づいて非感光型のプリント紙で成る記録媒体Ｐ（図３〜図５を参照）にプリントを行い、その記録媒体Ｐを収容し、収容した記録媒体Ｐを顧客に受け渡すことが可能な３台の受渡装置Ｃと、オーダを管理するオーダ管理装置Ｆとを備えて受渡システムが構成されている。この受渡システムではシステムのオペレータが顧客と対面してオーダを受け付けるカウンターテーブルＤと、手渡しラックＥとが併せて使用される。
【００１７】
この受渡システムでは、受付装置Ａと、銀塩プリンタＢと、受渡装置Ｃと、オーダ管理装置Ｆとが相互に情報の伝達を行えるように中継機Ｈと通信ケーブルＬとで接続されている。尚、情報の伝達を行うために通信ケーブルＬを用いた有線ＬＡＮの技術によって通信を行うものを想定しているが、イントラネットの技術や、無線通信の技術を用いるものでも良い。
【００１８】
この受渡システムは、比較的大型のＤＰ店や大型電気店等に設置されるものであり、受付装置Ａは、画像データを保存したフラッシュメモリ等のメディアを顧客がセットしてプリントや電子アルバム等のオーダの受け付けが可能である。銀塩プリンタＢは、従来からミニラボと称されるものと同様の機能を有するものが用いられ、受付装置Ａで受け付けた情報に基づいたプリント処理や、顧客から受け付けた写真フィルムに基づくプリント処理等が可能である。
【００１９】
特に、この受渡システムでは、受渡装置Ｃに記録媒体Ｐが収容されているオーダの管理情報をオーダ管理装置Ｆの管理モニタ１０１に表示するようにシステム全体の制御形態が設定されているが、オーダ管理情報を各受渡装置Ｃから取得して銀塩プリンタＢの作業モニタ２３に表示するように構成しても良い。
【００２０】
受渡装置Ｃは、受付装置Ａで受け付けたオーダデータと、画像データとを取得することにより、内蔵したプリンタＣａ（図４、図５を参照）によって記録媒体Ｐに画像データのプリントを行い、収容ユニットＣｂの収容空間に記録媒体Ｐを収容する処理を自動的に行い、この後、識別情報をプリントした情報担持体としての引換証Ｒ（図２、図３を参照）を顧客が提示することにより、識別情報に対応するオーダの記録媒体Ｐを送り出し、顧客に受け渡す制御を行う処理を自動的に行える。
【００２１】
特に、ＤＰ店が閉店した後や、管理する人員が存在しない時間帯においても、引換証Ｒにプリントされた識別情報から顧客を識別し、その顧客のオーダの記録媒体Ｐを顧客に受け渡せるように受渡装置Ｃを店舗の外壁面や通路に面する部位に設置しても良い。また、３台の受渡装置Ｃは等しい構成を有するものであるが、多種のプリントサイズに対応するために異なる幅の記録媒体Ｐを収容しても良い。これら３つの受渡装置Ｃの前面には夫々を特定するための数字が表示されている。
【００２２】
〔受付装置〕
受付装置Ａは、図２に示すように、上部の受付端末ＡＵと、下部の料金受領端末ＡＤとで構成されている。受付端末ＡＵは、本体１の前面に対して、コンパクトフラッシュ（商標）や、ＳＤカード（商標）や、メモリースティック（商標）等のフラッシュメモリで成る半導体型メディア（図示せず）から撮影データを取得する複数種の半導体ドライブ２を備え、フロッピーディスク（商標）やＭＯやＣＤ−Ｒ等のディスク型メディア（図示せず）からの画像データ（撮影データ）を取得するディスクドライブ３と、引換証Ｒをプリントして排出する引換証プリンタ４を備えている。本体１の上面にはカメラ付き携帯電話機に接続して画像データ（撮影データ）の取得を実現するコネクタ５を備え、必要なデータを表示するように表示面にタッチパネル６を形成した液晶型のディスプレイ７を備えている。また、本体１の内部には受け付けた情報を処理して通信ケーブルＬを介して送り出す受付制御ユニット８を備えている。
【００２３】
料金受領端末ＡＤは縦長姿勢のケース１０の上部位置の硬貨投入孔１１Ａからの硬貨を受領する硬貨受領器１１と、紙幣挿入孔１２Ａからの紙幣を受領する紙幣受領器１２とを内蔵し、下部位置に釣り銭排出口１３Ａから釣り銭を排出する釣り銭排出器１３を備えている。
【００２４】
この受付装置Ａは、受付端末ＡＵにおいて、顧客が半導体ドライブ２やディスクドライブ３にメディアをセットした状態、あるいは、コネクタ５に携帯電話機を接続した状態で、ディスプレイ７に表示される案内に従って顧客がタッチパネル６に指を接触させる操作を行うことにより、メディアや携帯電話機から画像データを取得すると共に、プリント処理等に必要なオーダデータを取得する。
【００２５】
受付装置Ａにおいてプリント処理に必要な情報が確定した処理をオーダと称しており、この受渡システムでは、オーダを取得した場合に、料金受領端末ＡＤにおいて顧客が処理に必要な料金の支払いを行うことによって受渡システムがオーダの情報（オーダデータと画像データとを含む）を取得し、プリント処理に移行する。
【００２６】
〔銀塩プリンタ〕
銀塩プリンタＢは、図１に示すように、暗箱構造のハウジング２０を有すると共に、このハウジング２０の端部のコンソール２１の上面にフィルムスキャナ２２と、情報を表示する作業モニタ２３と、ドライブユニット２４と、キーボード２５等を備えると共に、プリントに必要な処理を行う主制御ユニット２６を備えている。
【００２７】
ハウジング２０の内部には、図面に示していないが、印画紙で成る記録媒体Ｐに露光を行う露光部と、露光後の記録媒体Ｐの現像処理を行う現象処理部と、現像処理後の記録媒体Ｐの乾燥を行う乾燥部とを備えている。そして、ハウジング２０の外部には乾燥後の記録媒体Ｐが送り出される搬送ベルト２７と、この搬送ベルト２７からの記録媒体Ｐをオーダ単位で仕分けるソータ２８とを備えている。
【００２８】
この銀塩プリンタＢは受付装置Ａから伝送された画像データとオーダデータとに基づいて、オペレータの操作に基づいて前述したハウジング２０の内部でのプリント処理を行うと共に、ドライブユニット２４においてＣＤ−Ｒ等を用いた電子アルバムの作成を行う。そして、プリントされた記録媒体Ｐ等は、識別情報を付したＤＰ袋等に挿入され、手渡しラックＥに保管される。
【００２９】
〔受渡装置〕
受渡装置Ｃは、図３〜図７に示すように、本体部３０と、この本体部３０の前面にヒンジを介して開閉自在に支持されたドア部３１とを有した筐体を備えている。ドア部３１の前面の上部にはモニタ３３を備え、このモニタ３３の下部位置に記録媒体Ｐを排出する４つの排出口３４が形成され、この下側に引換証Ｒから識別情報を読み取るバーコードリーダ３５（情報リーダの一例）と、スピーカ３６とを備えている。尚、引換証Ｒとしては識別情報を磁気で記録したものであっても良い。この場合、識別情報を読み取る磁気式のリーダが備えられることになる。
【００３０】
本体部３０（筐体）の内部の下部にはプリンタＣａを備え、本体部３０の内部の上部には２つの収容ユニットＣｂが上下移動自在に支持されている。また、本体部３０の内部には前記プリンタＣａで画像データがプリントされた記録媒体Ｐを上方に送る搬送ユニットＣｄを備え、この搬送ユニットＣｄから送り出された記録媒体Ｐを上方に送り収容ユニットＣｂの収容空間Ｓに挿入する挿入ユニットＣｅを備えている。更に、本体部３０の内部の上部位置には収容ユニットＣｂの収容空間Ｓの記録媒体Ｐを４つ排出口３４から排出する４つの排出ユニットＣｆを備えている。尚、４つの排出口３４には開閉作動するシャッターユニット３７が備えられている。
【００３１】
本体部３０の内部（本体の内部）には搬送ユニットＣｄから送り出された記録媒体Ｐを積層する状態で受け止める２つのストッカーＣｇと、この２つのストッカーＣｇを左右方向に移動自在に支持するスライドプレート３８とを備えている。スライドプレート３８の位置調節により搬送ユニットＣｄから記録媒体Ｐが送り出される位置に２つのストッカーＣｇの一方を配置することで、配置されたストッカーＣｇに積層する状態で記録媒体Ｐを収容できるものにしている。この筐体内部の上部には、これらを制御するようにマイクロプロセッサを有した制御ユニットＣｈを備えている。
【００３２】
〔受渡装置：プリンタ〕
プリンタＣａは、下端にキャスタ４０を備えたプリンタ本体４１の内部の２箇所に記録紙で成るロール状の記録媒体Ｐを備えており、これらの記録媒体Ｐを搬送する複数の圧着ローラ４２を配置した搬送経路が形成されている。この搬送経路のプリント位置の上方には記録媒体Ｐの搬送方向と直交する方向に往復作動しながらインクを吐出するプリントヘッド４３が配置され、プリント位置の下方には記録媒体Ｐに負圧を作用させて平坦な基準面に沿わせる吸引機構４４が配置されている。搬送経路にはプリントヘッド４３で画像データがプリントされた記録媒体Ｐをプリントサイズに切断するカッター４５を備えており、このカッター４５の下方位置にはカッター４５での切断により発生する切断片を回収するトラッシュボックス４６と、これらを制御するプリント制御ユニット４７とが備えられている。
【００３３】
このプリンタＣａでは、受付装置Ａから伝送される画像データとオーダデータとに基づいてプリント制御ユニット４７が、圧着ローラ４２、プリントヘッド４３、カッター４５等を制御し、記録媒体Ｐに画像データをプリントし、プリントサイズに切断して送り出す制御を実現する。このプリンタＣａには制御時に記録媒体Ｐの位置を検出する複数の位置センサ（図示せず）を備えており、これらの位置センサからの検出信号はプリント制御ユニット４７に入力する。
【００３４】
また、プリンタＣａは、前述したように下端にキャスタ４０を備えているので筐体のドア部３１を開放することで前方側に引き出すことが可能であり、この引き出しにより記録媒体Ｐの補給や交換だけではなくトラッシュボックス４６の切断片の回収も可能にしている。また、このプリンタＣａでは２箇所にセットされる記録媒体の幅の選択により、幅が異なる複数種のプリントサイズに対応できる。図面には示していないが、このプリンタＣａを引き出した後に元の位置に戻した場合には、受渡装置Ｃのガイド部（図示せず）に対してプリンタＣａの基準部等が接当することでプリンタＣａと本体部３０との相対的な位置関係が決まり、このプリンタＣａにおける記録媒体Ｐの搬出位置と、搬送ユニットＣｄの搬送始端位置とが記録媒体Ｐの搬送に最適な位置関係になる。
【００３５】
このプリンタＣａはインクジェット型に限るものではなく、昇華形のプリンタや、熱転写型のプリンタ、静電式のプリンタ等を用いることができる。
【００３６】
〔受渡装置：収容ユニット〕
収容ユニットＣｂは、外壁５０と、水平姿勢に棚状に配置される複数の支持プレート５１とを備えることにより、収容ユニットＣｂの空間を区画して複数の収容空間Ｓが形成されている。また、２つの収容ユニットＣｂは左右に並列配置され、夫々のものに２列の支持プレート５１が備えられている。これにより収容ユニットＣｂは縦方向に多数で、横方向に４列の収容空間が配置されることになる。尚、４つの列のうち２列における支持プレート５１の上下間隔を標準的な間隔に設定してあり、他の２列を標準より大きい間隔に設定することにより収納可能な記録媒体Ｐの枚数を多くしている。
【００３７】
この２つの収容ユニットＣｂでは、上下位置調節機構５２により一方を上昇させる際には他方が下降する昇降形態が採用されている。上下位置調節機構５２は、上下の回転軸５２Ｓに備えたスプロケットに巻回する無端チェーン５２Ｃと、回転軸５２Ｓを駆動する位置調節モータ５２Ｍとを備えている。特に、２つの収容ユニットＣｂの一方を上昇させると同時に他方を下降させる作動形態を採用することにより、重心位置が高くなる現象を回避して重量バランスを良好に維持する。
【００３８】
上下位置調節機構５２により、収容目標となる収容空間Ｓの高さを挿入ユニットＣｅによる挿入高さに設定することや、排出目標となる収容空間Ｓの高さを排出ユニットＣｆによる排出高さに設定することが可能となる。尚、この高さはセンサ（図示せず）によって検知される。
【００３９】
〔受渡装置：搬送ユニット〕
搬送ユニットＣｄは、搬送ケース５５の内部に、プリンタＣａから送り出された記録媒体Ｐに圧着する駆動ローラ５６と従動ローラ５７と、記録媒体Ｐを圧着搬送する複数の圧着型の搬送ローラ５８とを備えている。
【００４０】
この搬送ユニットＣｄでは、プリンタＣａから送り出された記録媒体Ｐを駆動ローラ５６と従動ローラ５７とで圧着して搬送を行い、その記録媒体Ｐの後端が駆動ローラ５６と従動ローラ５７との圧着部位に達すると回転を停止して、駆動ローラ５６の駆動軸芯周りで９０度回転させることで、記録媒体Ｐの後端を上方に向かう姿勢に切り換え、この後、駆動ローラ５６を逆回転させることにより記録媒体Ｐを搬送ローラ５８に受け渡し、この搬送ローラ５８の搬送により後端側から上方に送り出す作動を行う。
【００４１】
図面には示していないが、この搬送ユニットＣｄでは、駆動ローラ５６と複数の搬送ローラ５８とを駆動するモータを備え、記録媒体Ｐの位置を検出するセンサを備えている。また、前述したように駆動ローラ５６の部位で反転させて記録媒体Ｐを搬送することにより、この搬送ユニットＣｄは、搬送終端位置からプリント面を上側にして記録媒体Ｐを搬出される。
【００４２】
〔受渡装置：挿入ユニット〕
挿入ユニットＣｅは、搬送ユニットＣｄから送り出された記録媒体Ｐを積層状態で受け止めて上方に持ち上げるシフト部６０と、持ち上げられた記録媒体を収容ユニットＣｂに挿入する４つの挿入部８０とで構成されている。
【００４３】
シフト部６０は、本体部３０の左右の内壁に備えた縦長姿勢の一対の縦レール６１と、この一対の縦レール６１によって両端が案内される状態で昇降作動する横フレーム６２と、これを昇降作動させる昇降駆動機構６３とを備えている。このシフト部６０は、更に、横フレーム６２の上面において横方向に移動自在に備えられた左ガイドレール６４と、これと平行姿勢で横方向に移動自在に備えられた右ガイドレール６５とを備え、左ガイドレール６４を横方向に作動させる左作動機構６６と、右ガイドレール６５を横方向に作動させる右作動機構６７とを備えている。尚、シフト部６０には、横フレーム６２の位置、左ガイドレール６４の位置、右ガイドレール６５の位置を検知する位置センサ（図示せず）が備えられている。
【００４４】
昇降駆動機構６３は、昇降モータ６３Ｍと、昇降モータ６３Ｍで駆動される無端ベルト型の昇降ベルト６３Ｂとを有している。また、左作動機構６６は、左作動モータ６６Ｍと、この左作動モータ６６Ｍで駆動される無端ベルト型の左ベルト６６Ｂとを備え、右作動機構６７は左作動機構６６と同様に、右作動モータ６７Ｍと、この右作動モータ６７Ｍで駆動される無端ベルト型の右ベルト６７Ｂとを備えている。
【００４５】
更に、シフト部６０は、左ガイドレール６４と右ガイドレール６５とで受け止める記録媒体Ｐの位置を決めるように板状の固定ストッパー７１と、これと対向する位置に配置された板状の可変ストッパー７２とを備えている。つまり、スライドプレート３８の上面に支持フレーム７３が備えられ、この支持フレーム７３に固定ストッパー７１と可変ストッパー７２とが支持され、この可変ストッパー７２の位置を調節する位置調節機構７４を備えている。
【００４６】
固定ストッパー７１は、搬送ユニットＣｄから送り出される記録媒体Ｐの搬送上流側の位置を決める位置に固定され、可変ストッパー７２は、記録媒体Ｐのサイズに対応して搬送ユニットから送り出された記録媒体Ｐの搬送下流側の位置を決めるように位置調節自在に備えられている。位置調節機構７４は、位置調節モータ７４Ｍと、位置調節モータ７４Ｍで駆動される無端ベルト型の位置調節ベルト７４Ｂとを有している。
【００４７】
挿入部８０は、２つの収容ユニットＣｂに対して合計４列に形成される収容空間Ｓに対応して同じ構造の４つのものを備えている。夫々の挿入部８０は、シフト部６０で上方に持ち上げられた記録媒体Ｐに押圧する押圧片８１と、挿入モータ８３と、この挿入モータ８３で駆動される無端ベルト型の挿入ベルト８４とを備え、この挿入ベルト８４に対して押圧片８１が連結している。
【００４８】
この挿入ユニットＣｅで記録媒体Ｐを収容空間Ｓに挿入する場合には、スライドプレート３８のスライド作動により、固定ストッパー７１と可変ストッパー７２とを搬送ユニットＣｄから記録媒体Ｐが搬出される位置に配置し、位置調節機構７４の制御により固定ストッパー７１と可変ストッパー７２との間隔を記録媒体Ｐの長さ（搬送方向での寸法）に対応した値に設定する。また、左作動機構６６と右作動機構６７との制御により記録媒体Ｐの幅（搬送方向と直交する方向での寸法）に対応した値に左ガイドレール６４と右ガイドレール６５と間隔を設定し、昇降駆動機構６３の駆動で横フレーム６２と一体的に左ガイドレール６４と右ガイドレール６５とを搬送ユニットＣｄから搬出される記録媒体Ｐを受け止める高さに配置する。
【００４９】
これにより、搬送ユニットＣｄから送り出される記録媒体Ｐを、固定ストッパー７１と可変ストッパー７２とで長さ方向での位置を規制し、左ガイドレール６４と右ガイドレール６５とにより幅方向で位置を規制し、この左ガイドレール６４と右ガイドレール６５とで設定枚数に達するまで積層して受け止める。この後、昇降駆動機構６３の制御により横フレーム６２と一体的に左ガイドレール６４と右ガイドレール６５とを上昇させ、この上昇時に左作動機構６６と右作動機構６７との制御により左ガイドレール６４と右ガイドレール６５とを挿入目標となる収容空間Ｓが存在する列まで横方向に移動させる。
【００５０】
この横フレーム６２の上昇作動時には、上下位置調節機構５２の制御により収容ユニットＣｂの挿入目標とする収容空間Ｓを挿入部８０により記録媒体Ｐを挿入可能な高さに設定する。この状態で、横フレーム６２が挿入部８０で挿入可能な高さに達すると、挿入モータ８３の制御により押圧片８１を前方に作動させ、この押圧片８１で積層状態の記録媒体Ｐを押圧し挿入目標とする収容空間Ｓに収容する。
【００５１】
〔受渡装置：排出ユニット〕
排出ユニットＣｆは、４列の収容空間Ｓに対応して同じ構造の４つのものを備えており、指定されたオーダの記録媒体Ｐを収容空間Ｓから送り出す機能を有している。夫々の排出ユニットＣｆは、収容空間Ｓに収容されている記録媒体Ｐに接触する接当板９０と、これに連接されたアーム体９１と、排出モータ９３と、この排出モータ９３で駆動される無端ベルト型の排出ベルト９４とを備え、この排出ベルト９４に対してアーム体９１が連結している。
【００５２】
この排出ユニットＣｆで記録媒体Ｐを排出する際には、上下位置調節機構５２の制御により収容ユニットＣｂを昇降させることで排出目標とする記録媒体Ｐが収容された収容空間Ｓを排出ユニットＣｆで排出可能なレベルに設定する。この状態で排出目標の記録媒体Ｐが収容された列の排出モータ９３を制御することにより、接当板９０を前方に作動させ、この接当板９０で記録媒体Ｐを排出口３４から送り出す。このように記録媒体Ｐが排出される際には対応するシャッターユニット３７を開放作動させ、記録媒体Ｐは長さ方向で顧客が握って引き出せる程度の量だけ排出される。
【００５３】
シャッターユニット３７は、４つ排出口３４を開閉するように４つ備えられるものであり、図面には示していないが、夫々のシャッターユニット３７は、電動モータにより開閉作動が行われる。
【００５４】
〔受渡装置：ストッカー〕
ストッカーＣｇは、所謂、ＬサイズやＥサイズのように比較的多量にプリントされる頻度が高いサイズに対応し、上方に開放した矩形の枠体９６を有し、この枠体９６の内部には上方に向けてバネ付勢されたボトムプレート９７を備えている。前述したように２つのストッカーＣｇはスライドプレート３８に支持され、このスライドプレート３８はスライド駆動機構９８によってスライド作動する。スライド駆動機構９８はスライド駆動モータ９８Ｍと、このスライド駆動モータ９８Ｍの駆動力によって作動する無端ベルト型のスライドベルト９８Ｂとで構成されている。
【００５５】
このストッカーＣｇに記録媒体Ｐを積層する形態で収容する場合には、スライドプレート３８のスライド作動により、搬送ユニットＣｄから送り出される記録媒体Ｐを受け止める位置に、記録媒体Ｐに対応したサイズのストッカーＣｇを配置する。これにより、ストッカーＣｇには積層状態で記録媒体が収容されることになり、記録媒体Ｐの重量によりバネの付勢力に抗してボトムプレート９７が下降することになる。
【００５６】
この受渡装置Ｃでは、ストッカーＣｇに対して数百枚を超える記録媒体Ｐの収容が可能であり、この収容を行った場合には、オペレータが適宜ドア部３１を開放し、ストッカーＣｇに収容した記録媒体Ｐを人為的に取り出し、ＤＰ袋等に保存し前述した手渡しラックＥに対して人為的に保管することになる。特に、ストッカーＣｇに記録媒体Ｐを収容する際に、１つのオーダの記録媒体Ｐだけでなく複数のオーダの記録媒体Ｐを収容することも可能であり、このように複数のオーダの記録媒体Ｐを収容する場合には、オーダの区切りを明らかにするためにオーダの特定が可能な情報を記録媒体Ｐにプリントし、記録媒体Ｐの最後に付加する制御も行われる。
【００５７】
〔オーダ管理装置〕
オーダ管理装置Ｆは、図１に示すように、コンピュータで成る管理装置本体１００と、管理モニタ１０１と、キーボード１０２と、マウス１０３、情報担持体としての取出票Ｔをプリントする情報プリンタとしての取出票プリンタ１０４と、バーコードを読み取るハンデイリーダ１０５とを備えている。
【００５８】
このオーダ管理装置Ｆは、受渡装置Ｃの制御ユニットＣｈの情報を取得することにより、顧客のオーダの存在を判別することや、オーダの履歴を取得する機能等を有すると共に、受付から設定期間が経過した記録媒体Ｐを受渡装置Ｃから強制的に排出させる処理を支援も可能にする（制御形態は後述する）。
【００５９】
〔制御構成の概要〕
このシステムの制御構成としては、図８及び図９に示すように、受渡装置Ｃの制御ユニットＣｈは、受付装置Ａ、銀塩プリンタＢ、オーダ管理装置Ｆ夫々に対して中継機Ｈ及び通信ケーブルＬを介して情報のアクセスを行えるように接続しており、制御ユニットＣｈにはモニタ３３、バーコードリーダ３５、スピーカ３６、シャッターユニット３７が接続すると共に、プリンタＣａ、収容ユニットＣｂ、搬送ユニットＣｄ、挿入ユニットＣｅ、排出ユニットＣｆ各々が制御可能に接続している。
【００６０】
更に、受渡装置Ｃでは、制御ユニットＣｈに対して、受渡装置Ｃの制御を実現するソフトウエアを含む制御管理ユニット１１０と、システムにおけるオーダの管理を実現するソフトウエアを含むオーダ管理ユニット１２０とが接続している。制御管理ユニット１１０は、プリント制御手段１１１と、収容制御手段１１２と、排出制御手段１１３と、情報出力手段１１４とで構成されている。また、オーダ管理ユニット１２０は、オーダ管理テーブル１２１と、オーダ管理手段１２２とを有している。
【００６１】
プリント制御手段１１１と、収容制御手段１１２と、排出制御手段１１３と、情報出力手段１１４と、オーダ管理手段１２２とは受渡装置Ｃにおいて各種制御を実現するソフトウエアで構成されているが、これらをソフトウエアに代えてハードウエアで構成することや、各々をソフトウエアとハードウエアとの組み合わせによって構成しても良い。
【００６２】
また、オーダ管理装置Ｆでは、管理装置本体１００に対して管理モニタ１０１、キーボード１０２、マウス１０３、取出票プリンタ１０４、ハンデイリーダ１０５が制御可能に接続している。管理装置本体１００には、受渡システムで処理が行われるオーダの情報を管理するオーダ情報管理手段１３１と、受渡装置Ｃに収容された記録媒体Ｐの期限を管理し、取出票Ｔのプリントを実現する期限管理手段１３２と、オーダ情報を管理モニタ１０１に表示するオーダ情報表示手段１３３とを備えている。
【００６３】
これらオーダ情報管理手段１３１と、期限管理手段１３２と、オーダ情報表示手段１３３とはソフトウエアで構成されているが、これらをソフトウエアに代えてハードウエアで構成することや、各々をソフトウエアとハードウエアとの組み合わせによって構成しても良い。
【００６４】
〔受渡処理の手順〕
図８及び図９に示すシステムの構成を利用して記録媒体Ｐを作成し、この記録媒体Ｐを顧客に受け渡す際の処理の流れの概要を図１０のフローチャートに示している。
つまり、この手順においては、画像データが記録されたメディアを顧客が受付装置Ａの受付端末ＡＵにセットして、オーダを行うことで受付処理が実行される（＃１０１ステップ）。
【００６５】
具体的に説明すると、受付装置Ａにおいて顧客がディスプレイ７に表示されるアイコン類に指等を接触させる操作でオーダを開始すると、受付制御ユニット８が、オーダナンバーを付与し、プリント処理に必要なプリントサイズやプリント枚数等のオーダデータと、画像データとが取得される。
【００６６】
これらのデータが取得されると、受渡装置Ｃにおいて自動処理可能なサイズであり、受渡装置Ｃに収容可能である場合には、受渡装置Ｃでの処理に移行し、これらの処理の何れか１つでも不能である場合には銀塩プリンタＢでの処理をセットする（＃１０２〜＃１０４ステップ）。
【００６７】
この処理において受渡装置Ｃに収容可能であるか否かの判断は、この受付装置Ａの受付制御ユニット８と、複数の受渡装置Ｃ夫々の制御ユニットＣｈとの間で通信を行い、プリントサイズとプリント枚数とを含むオーダデータから収容ユニットＣｂの収容空間Ｓの空き状況やストッカーＣｇにおける収容状況から判断が行われる。このように収容空間Ｓの空き状況やストッカーＣｇの収容状況は制御ユニットＣｈのオーダ管理ユニット１２０からの情報に基づいて取得される。
【００６８】
次に、受付装置Ａにおいて料金を受領した場合には、受付制御ユニット８が識別情報を生成し、この識別情報と、領収額と、仕上がり日時と、受渡装置Ｃにおいて受渡可能であるか否かの情報とを引換証Ｒに引換証プリンタ４で発行（プリント）される。識別情報はバーコードとしてプリントされ、領収額と仕上がり日時とは文字としてプリントされ、受付処理は終了する（＃１０５ステップ）。
【００６９】
尚、ＬサイズやＥサイズの所謂、サービスサイズと称されるサイズの記録媒体Ｐは基本的に受渡装置Ｃで受け渡すことになるが、枚数が多い場合には後述するストッカーモードでストッカーＣｇに収容されるため、カウンターテーブルＤにおいてオペレータと対面して受け渡すことになる。また、大きいサイズのプリントもオペレータと対面して受け渡すことになるため、引換証Ｒには、受渡装置Ｃでの受渡が可能であるか否かの情報がプリントされる。
【００７０】
受渡装置Ｃで処理が可能な場合には受渡装置Ｃでの処理を行う（＃１０６ステップ）。このステップでの処理として、受渡装置ＣのプリンタＣａでプリントを行い、搬送ユニットＣｄで搬送する。このように搬送された記録媒体Ｐは挿入ユニットＣｅがオーダ単位で収容ユニットＣｂの収容空間Ｓに収容する、又は、ストッカーＣｇに収容される。
【００７１】
フローチャートには示していないが、１オーダのプリント枚数が、収容空間Ｓに収容可能な値（例えば５０枚未満）である場合には、挿入モードでの処理により記録媒体Ｐは１つの収容空間Ｓに収容される。また、１オーダのプリント枚数が、３つの程度の数の収容空間Ｓに収容可能な値（例えば、５０〜１５０枚未満）である場合には、振分モードでの処理により記録媒体Ｐは２又は３の収容空間Ｓに収容される。更に、１オーダのプリント枚数が、３つの程度の数の収容空間Ｓでは収容できない値（例えば、１５０枚を超える場合）である場合には、ストックモードでの処理により記録媒体ＰはストッカーＣｇに収容される。このストッカーモードで収容が行われる場合には、オーダを特定し得る情報がプリントされた記録媒体Ｐが付加されることになる。このストックモードでストッカーＣｇに収容された記録媒体Ｐは、オペレータが受渡装置Ｃのドア部３１を開放して適宜取出し、ＤＰ袋等に挿入し、手渡しラックＥで管理することになる。
【００７２】
プリンタＣａでは、プリント制御手段１１１の制御によりプリンタＣａで記録媒体Ｐに対して画像データのプリントが行われ、長尺の記録媒体Ｐをプリントサイズに切断し、搬送ユニットＣｄから送り出される。
【００７３】
挿入モードでは、この記録媒体Ｐが送り出される位置に対して、前述したように位置調節機構７４の制御により、固定ストッパー７１と可変ストッパー７２とを配置すると共に、昇降駆動機構６３と、左作動機構６６と、右作動機構６７との制御により、左ガイドレール６４と右ガイドレール６５とを配置し、１オーダ分の枚数の記録媒体Ｐを積層状態で受け止める。このように記録媒体Ｐのプリントが行われている際には、上下位置調節機構５２の制御により記録媒体Ｐの挿入目標となる収容空間Ｓが挿入部８０の挿入レベルに設定される。
【００７４】
この後、シフト部６０は、昇降駆動機構６３の制御により横フレーム６２と一体的に左ガイドレール６４と右ガイドレール６５との上昇が行われ、この上昇時に左作動機構６６と右作動機構６７とを同期作動させる制御により、左ガイドレール６４と右ガイドレール６５とを挿入目標となる収容空間Ｓの位置まで移動させて停止する。この状態で挿入部８０の挿入モータ８３を制御することで左ガイドレール６４と右ガイドレール６５とに載置された１オーダ分の記録媒体Ｐが挿入目標となる収容空間Ｓに収容される。
【００７５】
振分モードでは、挿入目標となる収容空間Ｓが複数設定され、１オーダの記録媒体Ｐが設定枚数未満の収容単位に分割され、収容単位毎に複数の収容空間Ｓに収容されるだけで、この収容時の作動は基本的に挿入モードでの作動と変わるものではない。
【００７６】
ストックモードでは、位置調節機構７４の制御により、２つのストッカーＣｇのうちプリントサイズに対応したものを、搬送ユニットＣｄから記録媒体Ｐが送り出される位置に配置し、そのストッカーＣｇで記録媒体Ｐを受け止め、単純に積層する状態で収容することになる。
【００７７】
これらの処理は、前述したプリント制御手段１１１と、収容制御手段１１２とが実現し、収容された記録媒体Ｐを特定する特定情報（基本的には、そのオーダの識別情報）と、収容空間を特定する位置情報と、収容日時情報とで成る収容情報が、オーダ管理手段１２２によってオーダ管理テーブル１２１に記録される。
【００７８】
尚、特定情報として、前述したオーダナンバーや顧客の名前を利用することも可能であるが、これらの情報を利用した場合には、これらの情報と識別情報とを関連付ける情報が必要となる。また、オーダ管理テーブル１２１には、記録媒体Ｐの排出形態を示す情報として顧客により適正な排出が行われたことを示す受渡情報と、オペレータにより強制的な排出が行われたことを示す排出情報との何れか一方が、オーダを特定する情報（識別情報）と関連付けて記録される。結果として、オーダ管理テーブル１２１には、受渡情報と排出情報との何れか一方が識別情報と関連付けて記録されることになる。
【００７９】
このような状況において、オーダ管理装置Ｆにおいてオペレータがオーダを管理する操作を行った場合にはオーダ管理処理が実行される（＃２００ステップ）。
【００８０】
また、受渡装置Ｃのバーコードリーダ３５によって引換証Ｒの識別情報を取得した場合には、オーダ管理手段１２２によって対応する記録媒体Ｐの収容の有無が判断される。収納されている場合には、排出制御手段１１３が対応するオーダの記録媒体Ｐを排出すると共に、オーダ管理手段１２２がオーダ管理テーブル１２１に対して受渡情報を記録する（＃１０７〜＃１０９ステップ）。
【００８１】
このように記録媒体Ｐを収容ユニットＣｂから排出する際には、収容ユニット制御手段１０６が、排出目標とする記録媒体Ｐが収容された収容空間Ｓを排出ユニットＣｆでの排出可能なレベルまで移動させ、排出制御手段１１３がシャッターユニット３７を開放し、この排出制御手段１１３が排出モータ９３を制御することで記録媒体Ｐが排出口３４から送り出される。
【００８２】
また、取得した識別情報に対応する記録媒体Ｐを、その受渡装置Ｃに収容していないことを判別した場合には、オーダ管理ユニット１２０が他の受渡装置Ｃのオーダ管理テーブルの収容情報を参照することや、オーダ管理装置Ｆのオーダ情報管理手段の情報を参照する等の処理により、他の受渡装置Ｃと銀塩プリンタＢとにおいて識別情報に対応する記録媒体Ｐの所在を探索する（＃１１０ステップ）。
【００８３】
この探索によって、他の受渡装置Ｃに存在することを判別した場合には、その受渡装置Ｃを特定する情報をモニタ３３に表示すると共に、この情報をスピーカ３６から音声で出力する。手渡しラックＥに存在することが判別した場合には、オペレータの対応が必要であることを示す情報をモニタ３３に表示する共に、この情報をスピーカ３６から音声で出力する。（＃１１１ステップ）。
【００８４】
手渡しラックＥに保管されるオーダとしては、プリント枚数が多いオーダや、受渡装置Ｃでプリントを行えない大きいサイズであるため銀塩プリンタＢでプリントされたオーダや、電子アルバム等のオーダである。これらはオペレータが人為的にＤＰ袋等に挿入した状態で手渡しラックＥに保管される。
【００８５】
〔オーダ管理処理〕
このオーダ管理処理（＃２００ステップ）は、図１１に示すフローチャートに従う制御が行われる。オーダ管理装置Ｆでの処理と受渡装置Ｃとでは本来独立した制御が行われるものであるが、このフローチャートでは、オーダ管理装置Ｆでの処理と受渡装置Ｃでの処理とを１つの流れで示している。
【００８６】
この処理ではオーダ管理装置Ｆの管理装置本体１００において現在の日時が取得され、オーダ情報管理手段１３１が通信により複数の受渡装置Ｃからオーダ管理テーブル１２１の情報を取得する。これらの情報に基づき期限管理手段１３２が、設定期間（例えば、４週間）を超えて収容されている記録媒体Ｐの存否を判別し、存在することを判別した場合には、設定期間を超えているオーダの特定情報を抽出する（＃２１０〜＃２０３ステップ）。
【００８７】
オーダ管理装置Ｆでは、オーダ情報管理手段１３１が、通信により受付装置Ａで取得したオーダ情報を取得すると共に、受渡装置Ｃのオーダ管理テーブル１２１の情報を定期的に取得することにより各オーダの記録媒体Ｐの収容状況や、顧客への受渡状況を保存し管理している。
【００８８】
このフローチャートでは、現在の日時情報に基づいて設定期間を超えるものを期限管理手段１３２が抽出する処理を自動的に行っているが、オペレータの指示があったタイミングで抽出処理を行って良く、この設定期間もオペレータが任意に設定できるように処理形態を設定しても良い。
【００８９】
このように特定情報が抽出されている状態で、オーダ管理装置Ｆにおいてオペレータが強制排出の選択を行った場合には、期限管理手段１３２がプリントすべき情報を生成し、強制排出の対象となるオーダの数に対応した枚数の取出票Ｔが取出票プリンタ１０４でプリントされる（＃２０４、＃２０５ステップ）。
【００９０】
尚、強制排出の対象となるオーダが３つである場合に、取出票Ｔは３枚プリントされる。また、期限管理手段１３２は、取出票Ｔにプリントすべき情報として、強制排出の対象となるオーダの識別情報と、強制排出情報とのバーコード情報を含むと共に、そのオーダの顧客名と、オーダの日時と、オーダの内容（プリント枚数やプリントサイズ等の情報）と、そのオーダの記録媒体Ｐが収容されている受渡装置Ｃを特定する情報との文字情報を含む。尚、取出票Ｔとして識別情報と強制排出情報とを磁気で記録したものであっても良い。
【００９１】
このように取出票Ｔがプリントされた後には、オペレータが取出票Ｔのプリントで特定される受渡装置Ｃのバーコードリーダ３５で取出票Ｔのバーコードを読み取らせることにより、前述した＃１０８、＃１０９ステップと同様にオーダ管理手段１２２からの情報に基づき排出制御手段１１３が対応するオーダの記録媒体Ｐを排出され、オーダ管理テーブル１２１に対して排出情報が記録される（＃２０６、＃２０７ステップ）。
【００９２】
このよう取り出した記録媒体ＰはＤＰ袋等に挿入され、その記録媒体Ｐに対応する取出票ＴをＤＰ袋等に貼り付ける等の処理で添付することにより、顧客を識別可能な状態で記録媒体Ｐを管理できる。この取出票Ｔの識別情報をハンデイリーダ１０５で取得することで、この添付したＤＰ袋等を手渡しラックＥに保管し、オーダ管理装置Ｆで管理することができる。
【００９３】
また、オーダ管理テーブル１２１に排出情報が記録されることにより、設定期間を経過した後に、顧客が受渡装置Ｃのバーコードリーダ３５で引換証Ｒの識別情報を読み取らせた場合には、その受渡装置Ｃから記録媒体Ｐが既に強制排出され、オペレータの対応を求めることを促す情報を情報出力手段１１４がモニタ３３を表示すると共に、スピーカ３６から音声で出力する。この表示と音声とにより顧客はオペレータに受け取りの意志を伝え、渡しラックＥに保管されている記録媒体Ｐを受け取ることが可能となる。
【００９４】
更に、オーダ管理装置Ｆにおいてオーダのチェックを選択した場合には、複数の受渡装置Ｃに通信を行い、夫々の受渡装置Ｃのオーダ管理テーブル１２１の表示が可能となる（＃２０８、＃２０９ステップ）。このオーダ管理テーブル１２１の表示として、指定されたオーダの履歴の表示、収容ユニットに現在収容されているオーダの一覧、全てのオーダの受付日時と受渡日時・強制排出の日時等を任意に選択できる。
【００９５】
このように本発明の受渡システムでは、受渡装置Ｃに収容された記録媒体Ｐの収容期間が設定期間を超えた場合には、その記録媒体Ｐを特定する特定情報を取得し、オペレータの指示に基づいて取出票Ｔをプリントする。この取出票Ｔは、オーダの識別情報と強制排除情報とがバーコードでプリントされ、そのオーダを注文した者の氏名（顧客の氏名）・オーダの日時、オーダの内容（プリント枚数やプリントサイズ等の情報）、そのオーダの記録媒体Ｐが収容されている受渡装置Ｃを特定する情報とが文字情報としてプリントされる。
【００９６】
このような取出票Ｔがプリントされるため、オペレータは取出票Ｔを用いて収容期間を過ぎた記録媒体Ｐの強制的な取り出しを行うことが可能となり、収容ユニットＣｂの収容空間Ｓの空き数の増大を実現する。強制的に排出された記録媒体ＰはＤＰ袋等に挿入され、その記録媒体Ｐに対応する取出票ＴをＤＰ袋等に貼り付ける等の処理で添付することにより、顧客を識別可能な状態で記録媒体Ｐを手渡しラックＥで管理できる。
【００９７】
また、受渡装置Ｃでは強制的に排出された記録媒体Ｐを特定する情報がオーダ管理テーブル１２１に記録され、顧客が引換証Ｒで記録媒体Ｐを受け取る操作を行った場合には、モニタ３３とスピーカ３６とで顧客に適正な情報を提供して記録媒体Ｐの受け取りを実現する。
【００９８】
本実施形態の受渡システムでは複数の受渡装置Ｃを備えているが、この受渡装置Ｃは単一であっても良く、受渡システムに銀塩プリンタＢを備えずに構成しても良い。この場合、銀塩プリンタＢやインクジェット型のプリンタをシステムから分離する形態で備えることにより、受渡装置Ｃでプリント不能なサイズのオーダをシステムから独立するプリンタでプリントするように構成できる。
【００９９】
また、本実施形態の受渡システムではオーダ管理装置Ｆの機能を銀塩プリンタＢの主制御ユニット２６に持たせることも可能であり、複数の受渡装置Ｃを備える場合には、複数の受渡装置Ｃの１つにオーダ管理装置Ｆの機能を持たせることも可能である。
【産業上の利用可能性】
【０１００】
本発明は、受渡装置に受付装置の機能を備えることで、オーダからプリントを行い、プリントされた記録媒体を収容ユニットに収容する処理まで単独で行うよう構成して利用することができる。
【符号の説明】
【０１０１】
Ｐ          記録媒体
Ｒ          情報担持体・引換証
Ｓ          収容空間
Ｔ          情報担持体・取出票
Ｃｂ        収容ユニット
Ｃｆ        排出ユニット
３３        モニタ
３５        情報リーダ（バーコードリーダ）
１０４      情報プリンタ（取出票プリンタ）
１１３      排出制御手段
１１４      情報出力手段
１２０      オーダ管理ユニット
１２２      オーダ管理手段
１３２      期限管理手段
【図１】
2010287050.tif 000003
【図２】
2010287050.tif 000004
【図３】
2010287050.tif 000005
【図４】
2010287050.tif 000006
【図５】
2010287050.tif 000007
【図６】
2010287050.tif 000008
【図７】
2010287050.tif 000009
【図８】
2010287050.tif 000010
【図９】
2010287050.tif 000011
【図１０】
2010287050.tif 000012
【図１１】
2010287050.tif 000013